(57)【要約】    【課題】      ゴミとして資源を排出する個人、企業のプライバシー並びに資源となる商品を製造又は販売する企業の機密情報を保護しながら、個人又は企業が排出した資源回収量を把握して資源回収料金を請求すること。    【解決手段】  資源回収装置１０３は、ゴミとして排出された資源１０４に付けられた商品識別情報１０９を読み取る読取処理部１７１と、商品識別情報１０９の分別情報１０８から分類を判定する分別処理部１７２と、分類を表示部１５５に表示してスピーカ１５６から出力する出力処理部１７５と、商品識別情報１０９を書き換える書換処理部１７４と、を具備し、分別処理部１７２において分類を判定した資源１０４の回収量を計数する計数処理部１７７をさらに具備し、書換処理部１７４は、商品識別情報１０９の分別情報１０８以外の情報を消去するか、又は意味のない情報に変更して商品識別情報１０９を書き換える。  【選択図】      図５
2006124050.tif 000002
【特許請求の範囲】
【請求項１】
ゴミとして排出された資源に付けられた商品情報を読み取る読取手段と、
前記商品情報から前記商品の資源としての分類を判定する判定手段と、
前記判定手段の分類を表示して出力する出力手段と、
前記商品情報を書き換える書換手段と、
を具備することを特徴とする資源回収装置。
【請求項２】
前記資源回収装置は、
前記判定手段において分類を判定した前記資源の回収量を計数する計数手段を加えて具備することを特徴とする請求項１記載の資源回収装置。
【請求項３】
前記書換手段は、前記商品情報の前記資源としての分類に関する情報以外の情報を消去するか、又は意味のない情報に変更して前記商品情報を書き換えることを特徴とする請求項１又は請求項２記載の資源回収装置。
【請求項４】
前記資源回収装置は、開閉可能な蓋とその駆動装置の付いた前記分類別に設けられた資源回収箱に取り付けられ、
前記資源回収装置は、前記蓋の駆動装置を制御して前記蓋の開閉を行う駆動手段を加えて備え、
前記駆動手段は、前記出力手段と連動して前記分類に従って前記蓋を開閉することを特徴とする請求項１から請求項３のいずれかに記載の資源回収装置。
【請求項５】
前記資源回収装置は、
前記資源を排出する会員を認証する認証手段を加えて備え、
前記認証部によって認証された会員に対して前記読取手段を実行し、
前記認証部によって認証されない会員に対しては前記読取手段を実行しないことを特徴とする請求項１から請求項４のいずれかに記載の資源回収装置。
【請求項６】
携帯電話機であることを特徴とする請求項１から請求項３のいずれかに記載の資源回収装置。
【請求項７】
ゴミとして排出された資源を回収する資源回収装置と、前記資源回収装置から前記資源を回収するサービスセンタとをネットワークによって接続して構成される資源回収システムにおいて、
前記資源回収装置は、
前記資源に付けられた商品情報を読み取る読取手段と、
前記商品情報から前記商品の資源としての分類を判定する判定手段と、
前記判定手段において分類を判定した前記分類別の資源の回収量を計数する計数手段と、
前記判定手段の分類を表示又は出力する出力手段と、
前記商品情報を書き換える書換手段と、
前記計数手段で計数した前記分類別の資源の回収量を送信する送信手段とを備え、
前記サービスセンタは、
前記資源回収装置から前記分類別の資源の回収量を受信する受信手段と、
前記分類別の資源の回収量を前記分類別に累計して記憶する記憶手段と、
前記分類別の資源の回収量及び資源回収料金を算出する算出手段と、
前記分類別の資源の回収量及び資源回収料金を前記資源回収装置に送信する送信手段と、
を備えることを特徴とする資源回収システム。
【請求項８】
前記書換手段は、前記商品情報の前記資源としての分類に関する情報以外の情報を消去するか、又は意味のない情報に変更して前記商品情報を書き換えることを特徴とする請求項７記載の資源回収システム。
【請求項９】
前記サービスセンタの記憶手段は、前記資源としての分類情報及び資源回収日などの資源回収情報を記憶し、
前記資源回収装置は、前記サービスセンタから前記資源回収情報を受信する受信手段を加えて備え、
前記判定手段は、前記サービスセンタから受信した前記資源回収情報の分類情報に従って前記資源に付けられた商品情報の分類を判定することを特徴とする請求項７又は請求項８記載の資源回収システム。
【請求項１０】
前記資源回収装置は、
前記資源を排出する会員を認証する認証手段を加えて備え、
前記認証手段によって認証された会員に対して前記読取手段を実行し、
前記認証によって認証されない会員に対しては前記読取手段を実行しないことを特徴とする請求項７から請求項９のいずれかに記載の資源回収システム。
【請求項１１】
前記サービスセンタの記憶手段は、資源回収装置を会員として会員番号を与えて登録し、
前記資源回収装置の認証手段は、資源を排出する人が前記サービスセンタに会員として登録されている個人用の資源回収装置を保有していることを認証することによってなされることを特徴とする請求項１０記載の資源回収システム。
【請求項１２】
前記認証手段は、前記資源を排出する人が前記サービスセンタに会員として登録されている個人用の資源回収装置を保有していることを、前記サービスセンタが会員として登録されている個人用の資源回収装置を保有している人に配布した会員タグに記憶される会員識別情報を読み取り、前記会員識別情報として記憶される個人用の資源回収装置情報によって前記個人用の資源回収装置に認証を委託して認証結果を受信することによって行うことを特徴とする請求項１１に記載の資源回収システム。
【請求項１３】
前記個人用の資源回収装置は、前記認証手段を有して認証を委託した資源回収装置が、自らと同じサービスセンタに属し、且つ前記会員識別情報に記憶された会員情報が自らの会員番号であることによって前記会員タグを保有する前記資源を排出する人を認証することを特徴とする請求項１２記載の資源回収システム。
【請求項１４】
資源回収装置が、サービスセンタから分類情報及び資源回収日などの資源回収情報を受信するステップと、
商品に付された商品情報を読み取り、前記サービスセンタから受信した前記分類情報に従って前記商品の資源としての分類を判定して表示又は出力するステップと、
前記分類に従って前記資源の回収量を計数するステップと、
前記商品情報を書き換えるステップと、
前記資源が回収されると、前記資源の回収量を前記サービスセンタに送信するステップと、
前記サービスセンタが、資源回収装置から前記資源の回収量を受信するステップと、
前記分類に従って前記資源の回収量を記憶するステップと、
前記資源の回収量に従って資源回収料金を算出するステップと、
前記資源の回収量及び資源回収料金を前記資源回収装置に送信するステップと、
前記資源回収装置が、前記サービスセンタから前記資源の回収量及び前記資源回収料金を受信するステップと、
を順に実行することを特徴とする資源回収方法。
【発明の詳細な説明】
【技術分野】
【０００１】
本発明は、資源となるゴミの分別回収を行う資源回収装置、資源回収システム及び資源回収方法に関し、特に、ゴミに付された商品情報から個人のプライバシーや企業の機密が漏洩することを防止する資源回収装置、資源回収システム及び資源回収方法に関するものである。
【背景技術】
【０００２】
従来より、ゴミは個人や企業などによって種類に従って分別され、分別されたゴミを自治体が回収していたが、ゴミの分別には手間が掛かるだけでなく、ゴミの種類が多いうえに自治体によって分別方法が異なるため、分別方法が分かり難くゴミが誤って廃棄されることがあった。そこで、ゴミを分別するために、ゴミとなる商品に識別タグを付けて分別するゴミ分別回収システムがある（例えば、特許文献１参照）。
【０００３】
特許文献１のゴミ分別回収システムは、製造メーカや販売店が商品に付した識別タグに格納された商品識別情報を読み取って商品の分別廃棄を行う資源回収機と、資源回収機とネットワークを介して接続されるサービスセンタとを備えて、資源回収機が、サービスセンタから資源分別分類や収集日を含む資源分別関連情報を入手して、商品に付された商品識別情報を読み取り、商品識別情報と資源分別関連情報に基づいて商品を分類し、分類に基づいて資源回収機の複数の資源回収部から１つの資源回収部を指示するように構成されており、ゴミを早く正確に分別することができる。
【特許文献１】特開２００３−２６７５０９号公報（図１）
【発明の開示】
【発明が解決しようとする課題】
【０００４】
しかしながら、特許文献１のゴミ分別回収システムにおいては、資源回収機から回収された資源の商品識別情報を読み取ることができるため、個人又は企業が排出した商品情報を知ることができるので、個人又は企業のプライバシーが守られないだけでなく、商品を製造又は販売する企業の機密情報が漏洩する危険性があった。また、個人又は企業のプライバシーを保護するためには、ゴミを排出した個人又は企業を特定できないように、資源排出袋にゴミを排出した個人又は企業を特定するような情報を付けないか、もしくは、ゴミに付いていた商品識別情報を取り外すなどしてから排出する必要があり、回収したゴミから個人又は企業が排出したゴミの資源排出量を把握できないという問題があった。
【０００５】
本発明は、係る点に鑑みてなされたものであり、ゴミとして資源を排出する個人又は企業のプライバシー並びに資源となる商品を製造又は販売する企業の機密情報を保護しながら、個人又は企業が排出した資源回収量を把握して資源回収料金を請求することができる資源回収装置、資源回収システム及び資源回収方法を提供することを目的とする。
【課題を解決するための手段】
【０００６】
本発明の資源回収装置は、ゴミとして排出された資源に付けられた商品情報を読み取る読取手段と、前記商品情報から前記商品の資源としての分類を判定する判定手段と、前記判定手段の分類を表示して出力する出力手段と、前記商品情報を書き換える書換手段と、を具備する。
【０００７】
更に、本発明の資源回収装置は、前記判定手段において分類を判定した前記資源の回収量を計数する計数手段を加えて具備し、前記書換手段は、前記商品情報の前記資源としての分類に関する情報以外の情報を消去するか、又は意味のない情報に変更して前記商品情報を書き換える。
【発明の効果】
【０００８】
本発明によれば、ゴミとして資源を排出する個人又は企業のプライバシー並びに資源となる商品を製造又は販売する企業の機密情報を保護しながら、個人又は企業が排出した資源回収量を把握して資源回収料金を請求することができるという効果がある。
【発明を実施するための最良の形態】
【０００９】
以下、本発明の実施の形態について図面を参照して詳細に説明する。実施の形態１は、家庭及び企業などの個人が所有する資源回収箱に資源回収装置を取り付けたものであり、実施の形態２は、地域の資源集積所など公共の資源回収所にある資源回収箱に資源回収装置を取り付けたものであり、実施の形態３は、本発明の資源回収装置の機能を携帯電話機に備えたものである。
【００１０】
（実施の形態１）
図１は、本発明の実施形態１に係る資源回収システムの構成を示すブロック図である。図１において、資源回収システム１０１は、家庭又は企業などの個人が所有する資源回収箱１０２に取り付けた本発明の個人用の資源回収装置１０３と、管轄地域内にある複数台の資源回収箱１０２から排出される資源１０４を分類別に回収する業務を管理するサービスセンタ１０５とをネットワーク１０６を介して接続して構成される。
【００１１】
図１では、説明を簡略にするために個人用の資源回収装置１０３を取り付けた資源回収箱１０２を２つ図示したが、実際は、サービスセンタ１０５の管轄地域内に個人用の資源回収装置１０３を取り付けた資源回収箱１０２が多数存在する。
【００１２】
排出される資源１０４には、商品タグ１０７が付けられ、商品タグ１０７には、資源１０４の分別情報１０８を含む商品識別情報１０９を記憶した非接触型ＩＣチップが埋め込まれている。個人用の資源回収装置１０３は、商品タグ１０７に埋め込まれた商品識別情報１０９を読み込み、読み込んだ商品識別情報１０９の分別情報１０８以外の情報を消去するか又は意味のない情報に変更して商品タグ１０７に書き込んだ後、分別情報１０８の属する分類に従って資源１０４を分別して同じ分類ごとに資源回収箱１０２にセットされた資源回収袋１１０に集積させる。
【００１３】
個人用の資源回収装置１０３は、家庭又は企業内に設置されたホームサーバ１１４を経由してネットワーク１０６と接続され、ホームサーバ１１４は、パソコン１１５などに接続される。家庭内に設置されたホームサーバ１１４は、他に、家庭内にある冷蔵庫などの他の家電機器（図示せず）と接続され、互いの情報を交換しながら個人用の資源回収装置１０３を含む家電機器を制御する。企業内に設置されたホームサーバ１１４は、企業内ネットワークを管理する集中管理センタなどに設置され、企業内ネットワークを介して複数台の個人用の資源回収装置１０３と接続される。
【００１４】
個人用の資源回収装置１０３は、サービスセンタ１０５に登録され、定期的又はパソコン１１５からの要求に応じて、サービスセンタ１０５からホームサーバ１１４を経由して資源１０４の分類、分別情報、及び資源回収日などの資源回収情報を受信し、ホームサーバ１１４は、定期的又はパソコン１１５からの要求に応じて、サービスセンタ１０５からホームサーバ１１４に接続される資源回収装置１０３が排出した資源１０４の資源回収量及び資源回収料金を受信する。
【００１５】
ネットワーク１０６には、加えて、資源１０４の分別情報１０８を含む商品識別情報１０９を記憶する商品識別情報データベース１１６を備えて商品タグ１０７に記憶される商品識別情報１０９を管理する管理センタ１１７と、元は製品であった資源１０４に商品識別情報１０９を記憶した商品タグ１０７を付ける製造メーカ１１８と、同じく元は商品であった資源１０４に商品識別情報１０９を記憶した商品タグ１０７を付けて販売する販売店１１９と、サービスセンタ１０５から依頼されて資源回収箱１０２から資源回収袋１１０を回収する回収業者１２０などがそれぞれ接続される。
【００１６】
図２は、本発明の実施の形態１に係るサービスセンタの構成を示す機能ブロック図である。図２に示すように、サービスセンタ１０５は、ネットワーク１０６と接続されてホームサーバ１１４及び資源回収装置１０３と通信を行う通信部１２１と、サービスセンタ１０５を制御する処理部１２２と、データなどを記憶する記憶部１２３とを備える。
【００１７】
記憶部１２３は、資源１０４の分類１２４、分類１２４に属する分別情報１２５、及び分類１２４ごとの資源回収日１２６などの資源回収情報１２７を記憶する資源回収情報データベース１２８と、サービスセンタ１０５が会員となる個人用の資源回収装置１０３に与えた会員番号１２９と資源回収装置１０３へのアクセス情報１３０を登録した会員情報データベース１３１と、会員番号１２９ごとに回収した資源１０４の分別情報１０８の回収個数又は重量１３２などの資源回収量１３３を記憶する資源回収量データベース１３４とを記憶する。アクセス情報１３０とは、ネットワーク１０６上における資源回収装置１０３と資源回収装置１０３が接続されるホームサーバ１１４のアドレスである。
【００１８】
尚、分類１２４ごとの資源回収日１２６は、会員番号１２９によって又は、グループを作って異なるものにしてもよい。会員番号１２９によって資源１０４の分類１２４、分類１２４に属する分別情報１２５なども変えてもよい。
【００１９】
図３は、本発明の実施の形態１に係る資源回収装置を取り付けた資源回収箱の外観を示す模式図である。図３に示すように、個人用の資源回収装置１０３は、例えば、資源回収箱１０２の上部に取り付けられ、資源回収箱１０２は、サービスセンタ１０５の分類１２４に基づいて複数用意され、資源回収箱１０２には、資源回収袋１１０がセットされ、資源回収袋１１０には、資源回収装置１０３によって分類された資源１０４が集積されていく。
【００２０】
サービスセンタ１０５の分類１２４を、例えば、「Ａ」、「Ｂ」、「Ｃ」とすると、分類１２４「Ａ」、「Ｂ」、「Ｃ」に対応して資源回収箱１０２Ａ、１０２Ｂ、１０２Ｃが用意され、資源回収箱１０２Ａ、１０２Ｂ、１０２Ｃには、空及び満杯を検知する一対のセンサ１４１Ａ、１４１Ｂ、１４１Ｃと、投入口に駆動部１４２Ａ、１４２Ｂ、１４２Ｃを備えた開閉蓋１４３Ａ、１４３Ｂ、１４３Ｃとが取り付けられ、資源回収箱１０２Ａ、１０２Ｂ、１０２Ｃには、資源回収袋１１０がセットされる。図３においては、分類１２４を「Ａ」、「Ｂ」、「Ｃ」の３つとしたが、分類１２４は３つに限定されるわけではなく、資源回収情報データベース１２８の分類１２４に応じて数があり、それに合わせて資源回収箱１０２を用意する。
【００２１】
尚、開閉蓋１４３Ａ、１４３Ｂ、１４３Ｃとその駆動部１４２Ａ、１４２Ｂ、１４２Ｃを設けずに投入口を１つとし、この投入口に投入することで自動的に該当する資源回収箱１０２Ａ、１０２Ｂ、１０２Ｃに自動的に分別するようにしてもよい。図３には、次に述べる個人用の資源回収装置１０３のヘッド部１５２、スピーカ１５６、及び表示部１５５の例も示している。
【００２２】
図４は、本発明の実施の形態１に係る資源回収装置の構成を示す機能ブロック図である。図４に示すように、個人用の資源回収装置１０３は、アンテナ１５１を内蔵するヘッド部１５２と、ネットワーク１０６を介してサービスセンタ１０５又はホームサーバ１１４と通信する通信部１５３と、センサ１４１Ａ、１４１Ｂ、１４１Ｃによって資源回収箱１０２Ａ、１０２Ｂ、１０２Ｃの満杯及び空を検知する検知部１５４と、資源１０４の分別情報やガイダンスなどを視覚的に表示して知らせる表示部１５５と、資源１０４の分別情報やガイダンスなどを音声やブザー音などで知らせるスピーカ１５６と、資源回収装置１０３の制御プログラム１５７、サービスセンタに登録された会員番号１２９、サービスセンタ１０５の資源回収情報データベース１１８から受信した分類１２４、分類１２４に属する分別情報１０８、及び分類１２４ごとの資源回収日１２６などの資源回収情報１２７、分類１２４に属する分別情報１０８ごとの回収個数１５８を記憶する回収量カウンタ１５９、及び資源回収装置１０３を管轄するサービスセンタ１０４のネットワーク上のアドレスを示すサービスセンタ情報１６０などのデータを格納する記憶部１６１とをそれぞれＣＰＵ１６２に接続して備える。
【００２３】
ヘッド部１５２は、内蔵するアンテナ１５１に資源１０４を近づけ、商品タグ１０７に埋め込まれた非接触型ＩＣチップが記憶する商品識別情報１０９を読み取り、資源１０４を分別した後、商品識別情報１０９の書き換えを行う。大きい資源１０４の場合、個人用の資源回収装置１０３本体からヘッド部１５２を取り外し、大きい資源１０４の商品タグ１０７にヘッド部１５２を近づけて商品識別情報１０９を読み取らせる。
【００２４】
通信部１５３は、サービスセンタ情報１６０によってネットワーク１０６を介してサービスセンタ１０５と通信を行い、サービスセンタ１０５の資源回収情報データベース１２８から資源１０４の分別情報１２５や資源回収日１２６などの資源回収情報１２７を受信して記憶部１６１に記憶する。
【００２５】
表示部１５５は、資源回収箱１０２Ａ、１０２Ｂ、１０２Ｃの開閉蓋１４３Ａ、１４３Ｂ、１４３Ｃ付近に、資源１２５の分類１２４「Ａ」、「Ｂ」、「Ｃ」などを文字や絵などで表示し、ヘッド部１５２で読み込んだ資源１０４の分類先の資源回収箱１０２Ａ、１０２Ｂ、１０２Ｃを、矢印の表示又は分類１２４を表す文字や絵などを点滅させて知らせる。表示部１５５には、他に、「資源回収日」、及び各資源回収箱１０２Ａ、１０２Ｂ、１０２Ｃの「満杯」などを表示する。矢印の表示又は分類１２４を表す文字や絵などの点滅に連動してスピーカ１５６からブザー音や音声がアナウンスされて資源１０４の分類１２４を知らせる。
【００２６】
図５は、本発明の実施の形態１に係る制御プログラムの構成を示す機能ブロック図である。図５に示すように、制御プログラム１５７は、ヘッド部１５２のアンテナ１５１から入力される資源１０４に付けられた商品タグ１０７の商品識別情報１０９を読み取る読取処理部１７１と、商品識別情報１０９の分別情報１０８に従って資源１０４を記憶部１６１に記憶した分類１２４に分別する分別処理部１７２と、通信部１５３を介してホームサーバ１１４に商品識別情報１０９を転送するホーム通信部１７３と、ヘッド部１５２のアンテナ１５１を介して商品タグ１０７の商品識別情報１０９の分別情報１０８以外の情報を消去するか又は意味のない情報に変更して商品タグ１０７を書き換える書換処理部１７４と、分別処理部１７２の分類１２４に従って表示部１５５に分類先を表示し、スピーカ１５６からブザー音や音声によって分類１２４をアナウンスする出力処理部１７５と、同時に、分別処理部１７２で行った分類１２４に従って該当する資源回収箱１０２Ａ、１０２Ｂ、１０２Ｃの開閉蓋１４３Ａ、１４３Ｂ、１４３Ｃに取り付けた駆動部１４２Ａ、１４２Ｂ、１４２Ｃを駆動させて開閉蓋１４３Ａ、１４３Ｂ、１４３Ｃを所定時間開放する駆動処理部１７６とを備える。
【００２７】
駆動処理部１７６は、所定時間経過後、開閉蓋１４３Ａ、１４３Ｂ、１４３Ｃを再び閉鎖して分別ミスを予防する。
【００２８】
制御プログラム１５７は、更に、検知部１５４を介して資源回収箱１０２Ａ、１０２Ｂ、１０２Ｃが満杯になったこと、及び資源１０４が回収されて資源回収箱１０２Ａ、１０２Ｂ、１０２Ｃが空になったことを検知する処理を実行する検知処理部１７８と、検知部１５４によって満杯が検知された資源回収箱１０２Ａ、１０２Ｂ、１０２Ｃをサービスセンタ１０５に連絡するとともに、資源１０４が回収されて空が検知された分類１２４の回収量カウンタ１５９をサービスセンタ１０５に転送するセンタ通信部１７９などを備える。
【００２９】
図６は、本発明の実施の形態１に係る資源に付けられた商品タグに記憶される商品識別情報のデータの例を示す図である。図６（ａ）は、書き換え前の商品識別情報のデータを示す図、図６（ｂ）は、書き換え後の商品識別情報のデータを示す図である。図６（ａ）に示すように、書き換え前の商品識別情報１０９には、例えば、商品名１８１、製造会社名１８２、製造日１８３、製造場所１８４、販売履歴１８５、分別情報１８６、及びその他の情報が記憶されていて、製造メーカ１１８又は販売店１１９などの企業にとって重要な機密情報が含まれる。
【００３０】
図６（ｂ）に示すように、書き換え後の商品識別情報１０９には、分別情報１０８だけが記憶されていて、分別情報１０８以外の情報は消去されるか又は意味のない情報が記憶されているので、企業にとって重要な機密情報である商品名１８１、製造会社名１８２、製造日１８３、製造場所１８４、及び販売履歴１８５などを再び読み取ることはできない。
【００３１】
尚、図６の（ａ）に示す分別情報１０８がない商品識別情報１０９があれば、個人用の資源回収装置１０３が、ネットワーク１０６を介して管理センタ１１７に商品識別情報１０９を送信し、管理センタ１１７から受信した分別情報を商品識別情報１０９に記憶するようにしてもよい。
【００３２】
以上のように構成された資源回収システム１０１の動作について説明する。図７及び図８は、本発明の実施の形態１に係る資源回収システムの動作を説明するフロー図である。図７及び図８に示すように、サービスセンタ１０５は、定期的に、又はパソコン１１５から入力された資源回収情報の送信要求を（ＳＴ２０１）、ホームサーバ１１４を経由して受信すると（ＳＴ１０１；Ｙｅｓ）、会員情報データベース１３１に登録された資源回収装置１０３に、資源回収情報データベース１２８に記憶された資源１０４の分類１２４、分類１２４に属する分別情報１２５、及び資源回収日１２６などの資源回収情報１２７を送信する（ＳＴ１０２）。サービスセンタ１０５は、会員情報データベース１３１に登録されたアクセス情報１３０によって資源回収装置１０３と通信する。
【００３３】
個人用の資源回収装置１０３は、通信部１５３を介して資源回収情報１２７を受信して（ＳＴ３０１；Ｙｅｓ）、記憶部１６１に資源１０４の分類１２４、分類１２４に属する分別情報１２５、及び資源回収日１２６などの資源回収情報１２７を記憶する（ＳＴ３０２）。
【００３４】
個人用の資源回収装置１０３に資源１０４を排出する会員は、資源１０４を個人用の資源回収装置１０３のヘッド部１５２に近接させて商品タグ１０７に記憶された商品識別情報１０９を読み取らせる。
【００３５】
資源回収装置１０３の読取処理部１７１は、ヘッド部１５２から入力される商品タグ１０７に記憶された商品識別情報１０９を読み取る（ＳＴ３０３）。分別処理部１７２は、商品識別情報１０９の分別情報１０８に従って商品タグ１０７の付された資源１０４を記憶部１６１に記憶した資源回収情報１２７の分類１２４に分別する（ＳＴ３０４）。
【００３６】
ホーム通信部１７３は、商品識別情報１０９を通信部１５３からホームサーバ１１４に転送し（ＳＴ３０５）、ホームサーバ１１４は、書き換える前の商品識別情報１０９をセーブする（ＳＴ２０２）。書換処理部１７４は、ヘッド部１５２のアンテナ１５１を介して商品タグ１０７の商品識別情報１０９の分別情報１０８以外の情報を消去するか又は意味のない情報に変更して商品タグ１０７の商品識別情報１０９を書き換える（ＳＴ３０６）。
【００３７】
出力処理部１７５は、表示部１５５に分別処理部１７２の分類１２４によって分類先を表示し、スピーカ１５６からブザー音や音声によって分類先をアナウンスし（ＳＴ３０７）、同時に、駆動処理部１７６は、分別処理部１７２の分類１２４に従って該当する分類１２４の駆動部１４２Ａ、１４２Ｂ、１４２Ｃを駆動させて開閉蓋１４３Ａ、１４３Ｂ、１４３Ｃを所定時間開放させる（ＳＴ３０８）。
【００３８】
会員は、個人用の資源回収装置１０３の表示部１５５及びスピーカ１５６の指示に従って開いている開閉蓋１４３に資源１０４を投入する。計数処理部１７７は、分別処理部１７２の分類１２４に従って回収量カウンタ１５９の分別情報１０８の回収個数１５８を加算する（ＳＴ３０９）。
【００３９】
このようにして、資源回収箱１０２にセットされた資源回収袋１１０には、同じ分類１２４の資源１０４が集積されていき、資源回収日１２６になるか、資源回収箱１０２に取り付けたセンサ１４１によって資源回収箱１０２の満杯が検知されるか、又はパソコン１１５から入力された資源回収要求を（ＳＴ２０３）、ホームサーバ１１４を経由して受信すると（ＳＴ３１０；Ｙｅｓ）、サービスセンタ１０５に資源１０４の回収を要求する（ＳＴ３１１）。
【００４０】
サービスセンタ１０５は、個人用の資源回収装置１０３から資源１０４の回収要求を受信して（ＳＴ１０３）、回収業者１２０に資源回収袋１１０の回収を依頼して、資源回収袋１１０を回収する（ＳＴ１０４）。
【００４１】
個人用の資源回収装置１０３は、資源回収箱１０２から資源回収袋１１０が回収されて（ＳＴ３１２）、資源回収箱１０２に取り付けたセンサ１４１によって資源回収箱１０２の空が検知されると、センタ通信部１７９は、資源回収装置１０３の会員番号１２９と、回収された資源１０４の分類１２４と、分類１２４に属する分別情報１０８の回収量カウンタ１５９をサービスセンタに送信し（ＳＴ３１３）、送信した回収量カウンタ１５９を初期設定して（ＳＴ３１４）、ＳＴ３０１に戻る。
【００４２】
サービスセンタ１０５は、会員番号１２９と、回収された資源１０４の分類１２４と、分類１２４に属する分別情報１０８の回収量カウンタ１５９を受信して（ＳＴ１０５）、資源回収量データベース１３４において会員番号１２９ごとに回収された資源１０４の分類１２４と、分類１２４に属する分別情報１０８ごとの回収個数又は重量１３２などの資源回収量１３３を更新する（ＳＴ１０６）。
【００４３】
サービスセンタ１０５は、定期的に、又はパソコン１１５で入力された資源回収量及び資源回収料金の送信要求をホームサーバ１１４から（ＳＴ２０４）、受信すると（ＳＴ１０７；Ｙｅｓ）、ホームサーバ１１４に対して、ホームサーバ１１４に接続された資源回収装置１０３の会員番号１２８で資源回収量データベース１３４に記憶された資源回収量１３３と資源回収量１３３に基づいて算出した資源回収料金を送信する（ＳＴ１０８）。ホームサーバ１１４は、サービスセンタ１０５からホームサーバ１１４に接続された資源回収装置１０３の資源回収量１３３と資源回収料金を受信する（ＳＴ２０５）。
【００４４】
このように、本発明の実施の形態１によれば、ヘッド部１５２のアンテナ１５１を介して資源１０４に付けられた商品タグ１０７に記憶される商品識別情報１０９の分別情報１０８以外の情報を消去するか又は意味のない情報に書き換える書換処理部１７４と、資源１０４の分類１２４に属する分別情報１０８ごとの回収個数１５８を計数して回収量カウンタ１５９に記憶する計数処理部１７７を備えたので、資源１０４を排出する個人又は企業のプライバシー並びに資源１０４となる商品を製造する製造メーカ１１８及び販売店１１９の機密情報を保護しながら、資源１０４を回収するサービスセンタ１０５において、個人又は企業から回収した資源回収量１３３を把握して資源回収料金を請求することができる。
【００４５】
商品識別情報１０９の分別情報１０８以外の情報を消去するか又は意味のない情報に書き換えても、回収された資源１０４のリサイクルを行うリサイクルセンタ（図示せず）などでは、商品識別情報１０９のうち分別情報１０８のみを識別できればよいため、分別情報１０８以外の商品識別情報１０９を消去しても、その後の作業に支障をきたすことはない。
【００４６】
尚、資源１０４が回収される度に資源回収装置１０３の回収量カウンタ１５９を初期設定しないで、累計した値を記憶し、資源１０４が回収される度に前回送信した分との差分を算出して送信するようにしてもよい。そうすれば、資源回収装置１０３で排出した資源１０４の総個数を資源回収装置１０３に記憶して残せるので、後で、サービスセンタ１０５から送られる資源回収量１３３及び資源回収料金を確認することができる。
【００４７】
尚、資源回収装置１０３の回収量カウンタ１５９を資源１０４が回収される度にサービスセンタ１０５だけでなく、ホームサーバ１１４に転送するようにしてもよい。そうすれば、ホームサーバ１１４は、サービスセンタ１０５から資源回収料金の請求が来る前に資源回収装置１０３の資源１０４排出状況を知ることができるし、サービスセンタ１０５から通知される資源回収量１３３の内容を確認することができる。
【００４８】
尚、資源回収箱１０２Ａ、１０２Ｂ、１０２Ｃに秤を取り付け、回収量カウンタ１５９の回収個数１５８を重さとして資源回収量を重さで計数してもよい。その場合、資源１０４が回収されて資源回収箱１０２Ａ、１０２Ｂ、１０２Ｃが空になったときを「０」とし、「０」となる直前の重量を回収量カウンタ１５９としてサービスセンタ１０５に転送させる。
【００４９】
（実施の形態２）
図９は、本発明の実施形態２に係る資源回収システムの構成を示すブロック図である。図９において、図１に示す実施の形態１に係る資源回収システム１０１の構成を示すブロック図と同じ構成部分については同一の符号を付して説明を省略する。図９に示すように、実施の形態２の資源回収システム２０１では、地域の資源集積所など公共の資源回収所にある資源回収箱１０２に公共用の資源回収装置２０３を取り付けたことと、会員の携帯する会員タグ２１１を資源回収装置２０３に読み込ませ、資源回収装置２０３によって会員タグ２１１が認証された会員だけが公共用の資源回収装置２０３に資源１０４を排出できることが図１に示す資源回収システム１０１と異なる。また、公共用の資源回収装置２０３は、個人用の資源回収装置１０３に接続されるホームサーバ１１４及びパソコン１１５などは接続されない。
【００５０】
会員タグ２１１には、会員番号２１２と会員の所有する個人用の資源回収装置１０３とそのホームサーバ１１４へのアクセス情報２１３とを含む会員識別情報２１４を記憶した非接触型ＩＣチップが埋め込まれており、会員タグ２１１は、定期的又は会員の要望に応じてサービスセンタ１０５から会員番号２１２が会員情報データベース１３１に登録された個人用の資源回収装置１０３を所有する会員に配布される。会員タグ２１１に記憶される会員番号２１２は、会員情報データベース１３１に登録された個人用の資源回収装置１０３の会員番号１２８と同じ番号である。
【００５１】
サービスセンタ１０５の構成は、図２に示す実施の形態１に係るサービスセンタ１０５の構成を示す機能ブロック図と同じであり、資源回収箱１０２の外観は、図３に示す実施の形態１に係る資源回収装置を取り付けた資源回収箱１０２の外観を示す模式図と同じであり、商品識別情報１０９も、図６に示す実施の形態１に係る商品識別情報１０９のデータの例と同じである。
【００５２】
図１０は、本発明の実施の形態２に係る資源回収装置の構成を示す機能ブロック図である。図１０において、図４に示す実施の形態１に係る資源回収装置１０３の構成を示す機能ブロック図と同じ構成部分については同一の符号を付して説明を省略する。図１０に示すように、実施の形態２の資源回収装置２０３では、図３に示す表示部１５１の一部に入力部２５１を新たに設けたことと、記憶部２６１に分類１２４及び分別情報１０８に分けて回収個数１５８を記憶する回収量カウンタ１５９を会員番号２１２ごとに設けたことと、制御プログラム２５７が図４に示す資源回収装置１０３と異なる。
【００５３】
図１１は、本発明の実施の形態２に係る制御プログラムの構成を示す機能ブロック図である。図１１において、図５に示す本発明の実施の形態１に係る制御プログラム１５７の構成を示す機能ブロック図と同じ構成については同一の符号を付して説明を省略する。
【００５４】
図１１に示すように、実施の形態２の制御プログラム２５７は、ヘッド部１５２のアンテナ１５１を介して会員タグ２１１に会員識別情報２１４として記憶された会員番号２１２とアクセス情報２１３を読み取る会員読取部２７１と、会員番号２１２に従ってアクセス情報２１３の示す個人用の資源回収装置１０３に認証を求める会員認証部２７２とを新たに備えたことが図５の制御プログラム１５７と異なる。
【００５５】
以上のように構成された資源回収システム２０１の動作について説明する。図１２は、本発明の実施の形態２に係る資源回収システムの動作を説明するフロー図である。図１２において、図７及び図８に示す実施の形態１に係る資源回収システム１０１の動作を説明するフロー図と同じステップについては同一の符号を付して説明を省略する。
【００５６】
図１２に示すように、公共の資源回収装置２０３もＳＴ３０１とＳＴ３０２の処理を行い、通信部１５３を介して公共の資源回収装置２０３の資源回収情報１２６を受信して、記憶部３６１に公共の資源回収装置２０３における資源１０４の分類１２４、分類１２４に属する分別情報１２５、及び資源回収日１２６などの資源回収情報１２７を記憶する。
【００５７】
尚、個人の資源回収装置１０３における資源１０４の分類１２４、分類１２４に属する分別情報１２５、及び分類１２４ごとの資源回収日１２６と、公共の資源回収装置２０３における資源１０４の分類１２４、分類１２４に属する分別情報１２５、及び分類１２４ごとの資源回収日１２６とは異なる場合もある。
【００５８】
会員が地域の資源集積所など公共の資源回収所にある公共の資源回収装置２０３を取り付けた資源回収箱１０２に資源１０４を排出する場合は、公共の資源回収装置２０３における資源１０４の分類１２４、分類１２４に属する分別情報１２５、及び分類１２４ごとの資源回収日１２６に従って資源１０４の排出を行う。
【００５９】
会員は、始めに、資源回収装置２０３のヘッド部１５２に会員タグ２１１を近接させ、会員タグ２１１に記憶された会員識別情報２１４を読み取らせる。資源回収装置２０３の会員読取部２７１が、ヘッド部１５２から入力される会員タグ２１１に記憶された会員識別情報２１４を読み取ると（ＳＴ６０１;Ｙｅｓ）、会員認証部２６２は、読み取られた会員識別情報２１４に記憶された会員番号２１２と公共用の資源回収装置２０３の記憶部２６１が記憶するサービスセンタ情報１６０を会員識別情報２１４に記憶されたアクセス情報２１３が示す個人用の資源回収装置１０３に送信する（ＳＴ６０２）。
【００６０】
個人用の資源回収装置１０３は、公共用の資源回収装置２０３が読み込んだ会員番号２１２と公共用の資源回収装置２０３のサービスセンタ情報１６０を受信して（ＳＴ５０１）、受信した公共用の資源回収装置２０３のサービスセンタ情報１６０と自分の記憶部１６１に記憶される個人用の資源回収装置１０３サービスセンタ情報１６０が同じであって、公共用の資源回収装置２０３が個人用の資源回収装置１０３と同じサービスセンタ１０５の管轄にあり、受信した会員番号２１２が個人用の資源回収装置１０３の会員番号１２９であれば（ＳＴ５０２；Ｙｅｓ）、資源１０４の排出を許可するように公共用の資源回収装置２０３へ送信する（ＳＴ５０３）。
【００６１】
ＳＴ５０２において、公共用の資源回収装置２０３と個人用の資源回収装置１０３のサービスセンタ情報１６０が異なり、管轄するサービスセンタ１０４が違うか、又は、受信した会員番号２１２が個人用の資源回収装置１０３の会員番号１２９でなければ（ＳＴ５０２；Ｎｏ）、資源回収装置２０３での資源１０４の排出を許可しないように資源回収装置２０３へ送信する（ＳＴ５０４）。
【００６２】
資源回収装置２０３は、個人用の資源回収装置１０３から排出の許可を受信すると（ＳＴ６０３；Ｙｅｓ）、資源回収装置２０３の入力部２５１から終了が入力されるまで（ＳＴ６０５；Ｎｏ）、ＳＴ３０３からＳＴ３０９の処理を行い、資源１０４の商品タグ１０７から読み取られた商品識別情報１０９の中の分別情報１０８に従って資源１０４を記憶部２６１に記憶した資源回収情報１２７の分類１２４に分別し、ホーム通信部１７３によって商品識別情報１０９を通信部１５３からアクセス情報２１３の示す個人用の資源回収装置１０３のホームサーバ１１４に転送し、商品識別情報１０９の分別情報１０８以外の情報を消去するか又は意味のない情報に変更して商品タグ１０７の商品識別情報１０９を書き換える。
【００６３】
会員が、表示部１５５及びスピーカ１５６の分類に従って開いている開閉蓋１４３に資源１０４を排出し、資源回収箱１０２の資源回収袋１１０に資源１０４が集積され、会員番号２１２ごとに分別情報１０８に従って回収量カウンタ１５９の回収個数１５８が加算される。
【００６４】
資源回収装置２０３は、個人用の資源回収装置１０３から排出の不許可を受信すると（ＳＴ６０３；Ｎｏ）、公共用の資源回収装置２０３の表示部１５５にエラーメッセージを表示して会員の排出を許可することなく（ＳＴ６０４）、ＳＴ３０１に戻り、次の会員識別情報の入力を待つ（ＳＴ６０１；Ｎｏ）。
【００６５】
ＳＴ６０５において、資源回収装置２０３の入力部２５１から終了が入力されると（ＳＴ６０５；Ｙｅｓ）、表示部１５５に会員番号２１２と分類１２４と分別情報１０８ごとに回収量カウンタ１５９の回収個数１５８が表示され（ＳＴ６０６）、資源回収日１２６になるか、資源回収箱１０２に取り付けたセンサ１４１によって資源回収箱１０２の満杯が検知されるまでは（ＳＴ６０７；Ｎｏ）、資源回収箱１０２にセットされた資源回収袋１１０に、別の会員によってＳＴ３０１からＳＴ６０７の処理が繰り返し行われ、同じ分類１２４の資源１０４が集積されていく。
【００６６】
ＳＴ６０７において、資源回収日１２６になるか、資源回収箱１０２に取り付けたセンサ１４１によって資源回収箱１０２の満杯が検知されると（ＳＴ６０７；Ｙｅｓ）、ＳＴ３１１からＳＴ３１４の処理を行い、資源回収箱１０２から資源回収袋１１０が回収される。
【００６７】
資源回収箱１０２から資源回収袋１１０が回収されると、資源回収箱１０２に取り付けたセンサ１４１によって資源回収箱１０２の空が検知され、公共用の資源回収装置２０３において回収された資源１０４を排出した会員番号２１２と、回収された資源１０４の分類１２４と、分類１２４に属する分別情報１０８の回収量カウンタ１５９をサービスセンタに送信し、送信した回収量カウンタ１５９の値を初期設定する。
【００６８】
サービスセンタ１０５は、ＳＴ１０３からＳＴ１０６の処理を行い、公共用の資源回収装置２０３から資源回収袋１１０の回収し、回収された資源１０４を排出した会員番号２１２と、回収された資源１０４の分類１２４と、分類１２４に属する分別情報１０８の回収量カウンタ１５９を受信して、会員番号２１２ごとに回収された資源１０４の分類１２４と、分類１２４に属する分別情報１０８ごとの回収個数又は重量を算出して、資源回収量データベース１３４において会員番号２１２ごとに回収された資源１０４の分類１２４と、分類１２４に属する分別情報１０８ごとの回収個数又は重量１３２などの資源回収量１３３を更新する。
【００６９】
次に、ホームサーバ１１４が、ＳＴ２０４及びＳＴ２０５の処理を、サービスセンタ１０５が、ＳＴ１０７及びＳＴ１０８の処理を実行し、サービスセンタ１０５は、定期的に、又はパソコン１１５から入力された資源回収量及び資源回収料金の送信要求を、ホームサーバ１１４から受信すると、ホームサーバ１１４に対して、ホームサーバ１１４に接続された個人用の資源回収装置１０３の会員番号２１２で資源回収量データベース１３４に記憶された資源回収量１３３と資源回収量１３３に基づいて算出した資源回収料金を送信する。ホームサーバ１１４は、サービスセンタ１０５からホームサーバ１１４に接続された個人用の資源回収装置１０３の資源回収量１３３と資源回収料金を受信する。
【００７０】
このように、本発明の実施の形態２によれば、地域の資源集積所など公共の資源回収所にある資源回収箱１０２に取り付けた公共用の資源回収装置２０３に、会員タグ２１１に会員識別情報２１４として記憶された会員番号２１２とアクセス情報２１３を読み取る会員読取部２７１と、会員番号２１２に従ってアクセス情報２１３の示す個人用の資源回収装置１０３に認証を求める会員認証部２７２とを備えたので、サービスセンタ１０５に登録された個人用の資源回収装置１０３の会員タグ２１１を持つ会員は、公共用の資源回収装置２０３において資源１０４を分別して排出することができる。
【００７１】
また、公共用の資源回収装置２０３に、会員タグ２１１に会員識別情報２１４として記憶された会員番号２１２とアクセス情報２１３を読み取る会員読取部２７１と、会員番号２１２に従ってアクセス情報２１３の示す個人用の資源回収装置１０３に認証を求める会員認証部２７２とを備えたので、個人用の資源回収装置１０３に認証されない第三者の資源排出を防止することができる。
【００７２】
個人用の資源回収装置１０３において、公共の資源回収装置２０３とアクセス情報２１３の示す個人用の資源回収装置１０３を管轄するサービスセンタ１０５が同じで、会員番号２１２が個人用の資源回収装置１０３と同じものでないと、会員は、公共の資源回収装置２０３から資源１０４を排出することができないので、サービスセンタ１０５に会員として登録されない第三者の資源排出を防ぐことができる。
【００７３】
また、会員タグ２１１が認証された会員の公共用の資源回収装置２０３で排出した資源１０４の回収量カウンタ１５９は、資源回収袋１１０が回収されると自動的にサービスセンタ１０５に会員番号２１２と共に転送され、サービスセンタ１０５において、回収された資源１０４の分類１２４と、分類１２４に属する分別情報１０８ごとの回収個数又は重量を算出して、資源回収量データベース１３４において会員番号２１２ごとに、回収された資源１０４の分類１２４と、分類１２４に属する分別情報１０８ごとの回収個数又は重量１３２などの資源回収量１３３が更新されて、会員タグ２１１を保有する会員のホームサーバ１１４に資源回収量１３３と資源回収料金の請求が転送される。
【００７４】
また、書き換え前の商品識別情報１０９は会員タグ２１１に記憶された会員のホームサーバ１１４のアドレスに転送されるので、会員は、公共の資源回収装置２０３において資源１０４を排出しても、排出した資源１０４の書き換え前の商品識別情報１０９をセーブしておくことができる。
【００７５】
尚、実施の形態２おいて会員の認証は、会員識別情報２１４を記憶させた会員タグ２１１を読み込むことによって行っているが、会員の認証は、会員タグ２１１に限定されない。公共用の資源回収装置２０３の入力部２５１から会員固有のパスワードなどを入力することによって会員を認証してもよいし、携帯電話機などに、会員番号２１２と会員の所有する個人用の資源回収装置１０３とそのホームサーバ１１４へのアクセス情報２１３を記憶して、それを公共用の資源回収装置２０３のヘッド部１５２に送信して読み込ませるようにしてもよい。
【００７６】
尚、実施の形態２おいて会員の認証は、会員タグ２１１に記憶される会員識別情報２１４に個人用の資源回収装置１０３へのアクセス情報２１４を記憶させて、個人用の資源回収装置１０３において認証を行っているが、サービスセンタ１０５において認証を行ってもよい。
【００７７】
尚、実施の形態２おいては、回収量カウンタ１５９をサービスセンタ１０５への転送するタイミングを資源回収箱１０２が空になった時としたが、会員が入力部２５１から終了を入力した時としてもよい。
【００７８】
尚、実施の形態２おいては、回収量カウンタ１５９を回収個数１５８としたが、資源回収箱１０２Ａ、１０２Ｂ、１０２Ｃに秤を取り付け、回収量カウンタ１５９の回収個数１５９を重さとして資源回収量を重さで計数してもよい。その場合、会員が会員タグ２１１を読み込ませたときと会員が資源の終了を入力して排出を終えたときの資源回収箱１０２の重量の増加分によって資源１０４の回収量を算出する。
【００７９】
（実施の形態３） 
図１３は、本発明の実施の形態３に係る資源回収システムの構成を示すブロック図である。図１３において、図１に示す実施の形態１に係る資源回収システム１０１の構成を示すブロック図と同じ構成部分については同一の符号を付して説明を省略する。
【００８０】
図１３に示すように、実施の形態３の資源回収システム３０１では、地域の資源集積所など公共の資源回収所にある資源回収箱３０２には資源回収装置は取り付けられず、蓋なども必要がないただの箱で十分であり、資源回収箱３０２には会員タグ３１１が貼り付けられていることと、資源回収装置１０３の機能を携帯電話機３０３に持たせたことと、会員は資源１０４の商品タグ１０７を所持している携帯電話機３０３に読ませ、その表示に従って資源１０４を分類し、自分の会員タグ３１１を貼り付けた資源回収袋３１０に資源１０４を排出してその資源回収袋３１０を資源回収箱３０２に廃棄することが図１に示す資源回収システム１０１と異なる。
【００８１】
資源回収箱３０２に貼り付けられた会員タグ３１１には、会員番号３１２を含む会員識別情報３１４を記憶した非接触型ＩＣチップが埋め込まれていて、アクセス情報は記憶されない。資源回収袋３１０は、サービスセンタ１０５から配布された会員タグ３１１を貼り付けたものであるが、サービスセンタ１０５は、会員タグ３１１を貼り付けた資源回収袋３１０を配布するようにしてもよい。回収業者１２０は、資源回収装置が取り付けられない資源回収箱３０２から資源回収袋３１０を回収する場合は、会員タグ３１１の貼られた資源回収袋３１０のみを正規の資源回収袋３１０として回収する。
【００８２】
サービスセンタ１０５の構成は、図２に示す実施の形態１に係るサービスセンタ１０５の構成を示す機能ブロック図と同じであり、サービスセンタ１０５の会員情報データベース１３１には、携帯電話機３０３と資源回収装置を取り付けない資源回収箱３０２も会員として登録されている。携帯電話機３０３は、会員として会員番号１２９と携帯電話機３０３と携帯電話機３０３のホームサーバ１１４のネットワーク１０６におけるアドレスであるアクセス情報１３０が登録されるが、資源回収装置を取り付けない資源回収箱３０２は、会員番号３１２は登録されるが、アクセス情報は登録されない。商品識別情報１０９は、図６に示す実施の形態１に係る商品識別情報１０９のデータの例と同じである。
【００８３】
図１４は、本発明の実施の形態３に係る携帯電話機の構成を示す機能ブロック図である。図１４において、図１０に示す実施の形態２に係る資源回収装置２０３の構成を示す機能ブロック図と同じ構成部分については同一の符号を付して説明を省略する。図１４に示すように、実施の形態３の携帯電話機３０３では、図１０に示す通信部１５３を、ネットワーク１０６を介してサービスセンタ１０５又はホームサーバ１１４とアンテナ１５１によって無線で通信を行う無線通信部３５３に変えたことと、実施の形態２の検知部１５４がないことと、記憶部３６１に回収量カウンタ１５９を設けていないことと、制御プログラム３５７が実施の形態２に係る資源回収装置２０３と異なる。
【００８４】
図１５は、本発明の実施の形態２に係る制御プログラムの構成を示す機能ブロック図である。図１５において、図１１に示す本発明の実施の形態２に係る制御プログラム２５７の構成を示す機能ブロック図と同じ構成については同一の符号を付して説明を省略する。
【００８５】
図１５に示すように、実施の形態３の制御プログラム３５７には、ホーム通信部１７３、駆動処理部１７６、計数処理部１７７、及び検知処理部１７８がないことと、会員読取部２７１が、ヘッド部１５２のアンテナ１５１を介して資源回収箱３０２に貼り付けられた会員タグ３１１に会員識別情報３１４として記憶された会員番号３１２を読み取るとことと、会員認証部２７２が、会員番号３１２及び携帯電話機３０３の記憶部３６１に記憶される会員番号１２９に従ってサービスセンタ１０５に認証を求めることと、検知処理部１７８が無いことが実施の形態２に係る制御プログラム２５７と異なる。
【００８６】
以上のように構成された資源回収システム３０１の動作について説明する。図１６及び図１７は、本発明の実施の形態３に係る資源回収システムの動作を説明するフロー図である。図１６及び図１７において、図１２に示す実施の形態２に係る資源回収システム２０１の動作を説明するフロー図と同じステップについては同一の符号を付して説明を省略する。図１３に示すように、会員は、携帯電話機３０３と会員タグ３１１を貼り付けた資源回収袋３１０を持参して、資源回収箱３０２に資源１０４を排出する。会員は、資源回収箱３０２に貼り付けられた会員タグ３１１に携帯電話機３０３を近接させて資源回収箱３０２の会員タグ３１１に記憶された会員識別情報３１４を読み取らせる。
【００８７】
携帯電話機３０３の会員読取部２７１が、ヘッド部１５２から入力される会員タグ３１１に記憶された会員識別情報３１４を読み取ると（ＳＴ８０１;Ｙｅｓ）、会員認証部２７２は、資源回収箱３０２の会員番号３１２と携帯電話機３０３の記憶部３６１に記憶される会員番号１２９を携帯電話機３０３の記憶部３６１に記憶されたサービスセンタ情報１６０によって携帯電話機３０３が会員として登録されたサービスセンタ１０５に送信する（ＳＴ８０２）。
【００８８】
サービスセンタ１０５は、携帯電話機３０３から資源回収箱３０２の会員番号３１２と携帯電話機３０３の会員番号１２９を受信し（ＳＴ７０１）、受信した資源回収箱３０２の会員番号３１２と携帯電話機３０３の会員情報１２８が会員情報データベース１３１に登録されていれば（ＳＴ７０２；Ｙｅｓ）、資源回収箱３０３での資源１０４の排出を許可するように、受信した資源回収箱３０２の会員番号３１２の資源回収情報１２７を携帯電話機３０３へ送信する（ＳＴ７０３）。
【００８９】
ＳＴ７０２において、資源回収箱３０２の会員番号３１２又は携帯電話機３０３の会員番号１２９のいずれか１つでも会員情報データベース１３１に登録されていなければ（ＳＴ７０２；Ｎｏ）、資源回収箱３０２での資源１０４の排出を許可しないように携帯電話機３０３へ送信する（ＳＴ７０４）。
【００９０】
携帯電話機３０３は、サービスセンタ１０５から排出の許可を受信すると（ＳＴ８０３；Ｙｅｓ）、ＳＴ３０２からＳＴ３０７の処理を行い、資源回収箱３０２の資源１０４の分類１２４、分類１２４に属する分別情報１２５、及び資源回収日１２６などの資源回収情報１２７を記憶部３６１に記憶し、資源１０４の商品タグ１０７から読み取られた商品識別情報１０９の中の分別情報１０８に従って資源１０４を記憶部３６１に記憶した分類１２４に分別し、商品識別情報１０９を無線通信部３５３からアクセス情報２１３の示す携帯電話機３０３のホームサーバ１１４に転送し、携帯電話機３０３のホームサーバ１１４は、ＳＴ２０２の処理を行い、商品識別情報１０９をサーブする。
【００９１】
次に、携帯電話機３０３は、商品識別情報１０９の分別情報１０８以外の情報を消去するか又は意味のない情報に変更して商品タグ１０７の商品識別情報１０９を書き換え、表示部１５５及びスピーカ１５６の分類に従って、会員は自分で資源回収袋３１０に資源１０４を入れ（ＳＴ８０５）、携帯電話機３０３の入力部２５１から終了が入力されるまで（ＳＴ８０６；Ｎｏ）、ＳＴ３０３からＳＴ８０５の処理を行い、同じ分類の資源１０４を資源回収袋３１０に集める。
【００９２】
携帯電話機３０３は、サービスセンタ１０５から排出の不許可を受信すると（ＳＴ８６０３；Ｎｏ）、携帯電話機３０３の表示部１５５にエラーメッセージを表示して（ＳＴ８０４）、ＳＴ８０１に戻り、資源回収箱３０２での資源１０４の排出を拒絶する。
【００９３】
ＳＴ８０６において、携帯電話機３０３の入力部２５１から終了が入力されると（ＳＴ８０６；Ｙｅｓ）、会員は、携帯電話機３０３での資源１０４の分別処理を終了して資源回収袋３１０の口を閉じ、資源回収袋３１０を携帯電話機３０３の記憶部３６１に記憶される分類１２４に従って資源回収箱３０２に投入して（ＳＴ８０７）、資源１０４の分別回収処理を終了する。
【００９４】
サービスセンタ１０５は定期的に（ＳＴ７０５；Ｙｅｓ）、ＳＴ１０４の処理を行って、回収業者１２０に依頼して資源回収箱３０２から資源回収袋３１０を回収してサービスセンタ１０５に集める。
【００９５】
サービスセンタ１０５の作業員は、集められた全ての資源回収袋３１０について以下の作業を行う（ＳＴ７０６；Ｎｏ）。すなわち、資源回収袋３１０の会員タグ２１１に記憶された会員識別情報２１４の会員番号２１２を読み取り（ＳＴ７０７）、資源回収袋３１０を開封して、回収した資源１０４の商品タグ１０７に埋め込まれた商品識別情報１０９の分別情報１０８を読み込み（ＳＴ７０８）、会員タグ３１１に記憶された会員番号３１２ごとに、回収された資源１０４の分類１２４と、分類１２４に属する分別情報１０８ごとの回収個数又は重量などの資源回収量を算出して（ＳＴ７０９）、ＳＴ１０６の処理を行い、資源回収量データベース１３４において会員番号３１２ごとに回収された資源１０４の分類１２４と、分類１２４に属する分別情報１０８ごとの回収個数又は重量１３２などの資源回収量１３３を更新する。
【００９６】
サービスセンタ１０５は、資源１０４が分類１２４に従って正しく分別されていない場合、正しく分別を行うよう携帯電話機３０３に通知して資源回収料金に違反金を加算する。
【００９７】
全ての資源回収袋３１０についてＳＴ７０７からＳＴ１０６の処理が終了し（ＳＴ７０６；Ｙｅｓ）、携帯電話機３０３が接続されたホームサーバ１１４が、ＳＴ２０４及びＳＴ２０５の処理を、サービスセンタ１０５が、ＳＴ１０７及びＳＴ１０８の処理を実行し、定期的に、又はパソコン１１５から資源回収量及び資源回収料金の送信要求を入力すると、携帯電話機３０３のホームサーバ１１４は、サービスセンタ１０５の資源回収量データベース１３５からホームサーバ１１４に接続された携帯電話機３０３の資源回収量１３３と資源回収料金を受信する。
【００９８】
このように、本発明の実施の形態３によれば、携帯電話機３０３に資源回収装置１０３の機能を設けたので、資源回収装置１０３又は資源回収装置２０３の取り付けられていない資源回収箱３０２においても、資源１０４を分類して排出することができる。
【００９９】
資源回収袋３１０に会員タグ３１１を貼り付けて、会員タグ３１１の貼り付けてあるもののみを回収し、サービスセンタ１０５で資源回収袋３１０を開けて、分別された資源１０４の分別情報１０８を読み込んで資源回収量を算出したので、サービスセンタ１０５で回収した資源の資源回収量１３３を直接把握して資源回収料金を請求することができる。
【０１００】
資源回収箱３０２に会員タグ３１１を貼り付けて、資源回収箱３０２と携帯電話機３０３が同じサービスセンタ１０５に会員として登録されているかを認証してから資源回収箱３０２の資源回収情報１２７を携帯電話機３０３に与え、携帯電話機３０３は、それに従って資源１０４の分別回収を行い、分別した資源１０４を会員タグ３１１の貼り付けられた資源回収袋３１０に入れ、会員タグ３１１の貼り付けられた資源回収袋３１０だけを回収しているので、資源回収箱３０２と同じサービスセンタ１０５の会員でない第三者が資源１０４を資源回収箱３０２に排出することを防止することができる。
【０１０１】
資源回収箱３０２に会員タグ３１１を貼り付けて、資源回収箱３０２の資源回収情報１２７を受信しているので、会員が資源１０４を排出する資源回収箱３０２の資源回収情報にしたがって資源１０４を排出することができる。
【０１０２】
尚、実施の形態３おいては、分別した資源１０４を資源回収袋３１０に入れてサービスセンタ１０５で排出した資源１０４をカウントしているが、実施の形態１及び実施の形態２のように携帯電話機３０３で資源１０４を分別するとき資源１０４の個数をカウントし、携帯電話機３０３で終了を入力して資源１０４の分別処理を終了するとき、カウントした値をサービスセンタ１０５に転送するようにしてもよい。
【０１０３】
尚、実施の形態３においては、資源回収量を個数で算出しているが、資源回収量を重さとし、回収した資源１０４を秤で測り、資源回収量を重さで算出してもよい。
【産業上の利用可能性】
【０１０４】
本発明に係る資源回収システムは、ゴミとして資源を排出する個人又は企業のプライバシー並びに資源となる商品を製造又は販売する企業の機密情報を保護しながら、個人又は企業が排出した資源回収量を把握して資源回収料金を請求することができる効果を有し、資源となるゴミの分別回収を行う資源回収装置、資源回収システム及び資源回収方法に関し、特に、ゴミに付された商品情報から個人のプライバシーや企業の機密が漏洩することを防止する資源回収装置、資源回収システム及び資源回収方法に有効である。
【図面の簡単な説明】
【０１０５】
【図１】本発明の実施形態１に係る資源回収システムの構成を示すブロック図
【図２】本発明の実施の形態１に係るサービスセンタの構成を示す機能ブロック図
【図３】本発明の実施の形態１に係る資源回収装置を取り付けた資源回収箱の外観を示す模式図
【図４】本発明の実施の形態１に係る資源回収装置の構成を示す機能ブロック図
【図５】本発明の実施の形態１に係る制御プログラムの構成を示す機能ブロック図
【図６】本発明の実施の形態１に係る資源に付けられた商品タグに記憶される商品識別情報のデータの例を示す図  （ａ）書き換え前の商品識別情報のデータを示す図  （ｂ）書き換え後の商品識別情報のデータを示す図
【図７】本発明の実施の形態１に係る資源回収システムの動作を説明するフロー図
【図８】本発明の実施の形態１に係る資源回収システムの動作を説明するフロー図
【図９】本発明の実施形態２に係る資源回収システムの構成を示すブロック図
【図１０】本発明の実施の形態２に係る資源回収装置の構成を示す機能ブロック図
【図１１】本発明の実施の形態２に係る制御プログラムの構成を示す機能ブロック図
【図１２】本発明の実施の形態２に係る資源回収システムの動作を説明するフロー図
【図１３】本発明の実施の形態３に係る資源回収システムの構成を示すブロック図
【図１４】本発明の実施の形態３に係る携帯電話機の構成を示す機能ブロック図
【図１５】本発明の実施の形態２に係る制御プログラムの構成を示す機能ブロック図
【図１６】本発明の実施の形態３に係る資源回収システムの動作を説明するフロー図
【図１７】本発明の実施の形態３に係る資源回収システムの動作を説明するフロー図
【符号の説明】
【０１０６】
１０１、２０１、３０１  資源回収システム
１０２、３０２  資源回収箱
１０３、２０３  資源回収装置
１０４  資源
１０５  サービスセンタ
１０６  ネットワーク
１０７  商品タグ
１０８、１２５  分別情報
１０９  商品識別情報
１１０、３１０  資源回収袋
１１４  ホームサーバ
１１５  パソコン
１１６  商品識別情報データベース
１１７  管理センタ
１１８  製造メーカ
１１９  販売店
１２０  回収業者
１２１  通信部
１２２  処理部
１２３  記憶部
１２４  分類
１２６  資源回収日
１２７  資源回収情報
１２８  資源回収情報データベース
１２９、２１２、３１２  会員番号
１３０、２１３  アクセス情報
１３１  会員情報データベース
１３２  回収個数又は重量
１３３  資源回収量
１３４  資源回収量データベース
１４１  センサ
１４２  駆動部
１４３  開閉蓋
１５１  アンテナ
１５２  ヘッド部
１５３  通信部
１５４  検知部
１５５  表示部
１５６  スピーカ
１５７、２５７、３５７  制御プログラム
１５８  回収個数
１５９  回収量カウンタ
１６０  サービスセンタ情報
１６１、２６１、３６１  記憶部
１６２  ＣＰＵ
１７１  読取処理部
１７２  分別処理部
１７３  ホーム通信部
１７４  書換処理部
１７５  出力処理部
１７６  駆動処理部
１７７  計数処理部
１７８  検知処理部
１７９  センタ通信部
１８１  商品名
１８２  製造会社名
１８３  製造日
１８４  製造場所
１８５  販売履歴
２１１、３１１  会員タグ
２１４、３１４  会員識別情報
２５１  入力部
２７１  会員読取部
２７２  会員認証部
３０３  携帯電話機
【図１】
2006124050.tif 000003
【図２】
2006124050.tif 000004
【図３】
2006124050.tif 000005
【図４】
2006124050.tif 000006
【図５】
2006124050.tif 000007
【図６】
2006124050.tif 000008
【図７】
2006124050.tif 000009
【図８】
2006124050.tif 000010
【図９】
2006124050.tif 000011
【図１０】
2006124050.tif 000012
【図１１】
2006124050.tif 000013
【図１２】
2006124050.tif 000014
【図１３】
2006124050.tif 000015
【図１４】
2006124050.tif 000016
【図１５】
2006124050.tif 000017
【図１６】
2006124050.tif 000018
【図１７】
2006124050.tif 000019